(57)【要約】【課題】プリント回路基板にＩＣチップを搭載するためのＩＣソケットにおいて、異なる幅寸法のＩＣソケットを搭載し、かつリードとプリント回路基板とを確実に導通させる。【解決手段】リード５を保持する複数対の第１の内部導体６と、第１の内部導体６を嵌挿して往復移動する往復部材７と、往復部材７を付勢するコイルばね８と、第１の内部導体６と接触導通される複数対の第２の内部導体９とを備える。ＩＣチップ３の幅寸法に対応させて往復部材７を移動させることにより、各種のＩＣチップ３が搭載可能となる。このとき、第２の内部導体９の付勢力によって第１の内部導体６と第２の内部導体９との導通が確保され、コイルばね８の付勢力と第２の内部導体９の付勢力によってリード５と第１の内部導体６との導通が確保される。【選択図】図２
2006156095.tif 000002
【特許請求の範囲】
【請求項１】
試作プリント回路基板用のＩＣソケットであって、
ＩＣチップのリードを挿入するための開口を有し、ＩＣチップを搭載し得る状態で、プリント回路基板上に実装される中空構造のソケット本体部と、
前記開口から前記ソケット本体部の内部に挿入されたＩＣチップのリードに対応するように配列され、該リードを保持する、複数対の第１の内部導体と、
この第１の内部導体を嵌挿するためのスリットを有し、該第１の内部導体が配列された方向に対して直交する方向に往復移動可能な１対の往復部材と、
この往復部材を、それぞれＩＣチップの幅方向の外側から内側に向けて互いに接近するように付勢するコイルばねと、
前記ソケット本体部の底部に設けられ、前記第１の内部導体と接触導通される複数対の第２の内部導体とを備え、
前記第１の内部導体は、ＩＣチップのリードを前記往復部材の移動方向において両側から挟み込んで保持し得るように、折り返された板金部材によって構成され、その折り返し部は、前記往復部材のスリットからプリント回路基板の側に突出されると共に、該スリットの端縁と係合し得るように該端縁から該往復部材の往復方向に突出され、かつ、前記第２の内部導体と確実に接触し得るように、側面視で円弧状に成形され、
前記第２の内部導体は、板金部材によって略Ｌ字型と略Ｕ字型を組み合わせた形状に形成され、略Ｌ字型に形成された一端部がプリント回路基板のランド部にはんだ付けされ、略Ｕ字型に形成された他端部が前記第１の内部導体と接触され、
該他端部は、該第２の内部導体の弾性によって、該第１の内部導体をプリント回路基板から離反する方向と前記付勢部材の付勢方向とは逆の方向に付勢し得るように、斜面状に成形されており、
搭載されるＩＣチップのリードの幅寸法に対応させて、対となる第１の内部導体の間隔を変更可能とすることにより、一つのＩＣソケットで幅寸法の異なる複数種類のＩＣチップを搭載可能としたことを特徴とする試作プリント回路基板用のＩＣソケット。
【請求項２】
試作プリント回路基板用のＩＣソケットであって、
ＩＣチップのリードを挿入するための開口を有し、ＩＣチップを搭載し得る状態で、プリント回路基板上に実装される中空構造のソケット本体部と、
前記開口から前記ソケット本体部の内部に挿入されたＩＣチップのリードに対応するように配列され、該リードを保持する、複数対の第１の内部導体と、
この第１の内部導体を嵌挿するためのスリットを有し、該第１の内部導体が配列された方向に対して直交する方向に往復移動可能な往復部材と、
この往復部材を、ＩＣチップの外側から内側に向けて付勢する付勢部材と、
前記第１の内部導体と接触導通される複数対の第２の内部導体とを備え、
前記第１の内部導体は、ＩＣチップのリードを前記往復部材の移動方向において両側から挟み込んで保持し得るように、折り返された板金部材によって構成され、
前記第２の内部導体は、板金部材によって構成され、その一端部がプリント回路基板のランド部にはんだ付けされ、他端部が前記第１の内部導体と接触され、
該他端部は、該第２の内部導体の弾性によって、前記第１の内部導体をプリント回路基板から離反する方向と前記付勢部材の付勢方向とは逆の方向に付勢し得るように、斜面状に成形されており、
搭載されるＩＣチップのリードの幅寸法に対応させて、対となる第１の内部導体の間隔を変更可能とすることにより、一つのＩＣソケットで幅寸法の異なる複数種類のＩＣチップを搭載可能としたことを特徴とする試作プリント回路基板用のＩＣソケット。
【発明の詳細な説明】
【技術分野】
【０００１】
本発明は、試作プリント回路基板に用いて好適なＩＣソケットに関するものである。
【背景技術】
【０００２】
電子機器の開発段階では、試作用のプリント回路基板を製作し、その基板上にＩＣチップを含む種々の電子部品を実装した後、その動作が検証される。一般に、ＩＣチップは、長手方向に配列されたリードの間隔こそ規格化されているものの、その幅寸法は内部の回路構成によって様々である。そこで、各種のＩＣチップに対応できるように、複数種類のＩＣソケットが準備されている。
【０００３】
ところが、電子機器の開発過程においては、様々な仕様の変更等が勃発し、上記動作の検証の結果、別の仕様のＩＣチップへの交換が必要な場合も少なくない。そして、新たに搭載したいＩＣチップの幅寸法が、既に基板に実装されているＩＣソケットと対応しない場合には、プリント回路基板ごと新規に設計・製作し直さなければならない。このような、ＩＣチップを変更するたびにプリント回路基板を再設計・製作する開発手法は、プリント回路基板の再設計・製作に時間が掛かり、開発期間の短縮を阻む要因となっている。
【０００４】
そこで特許文献１においては、ソケット本体の２列の電極群のうち少なくとも一方の電極群をスライドできるように構成されたＩＣソケットが示されている。しかしながら、このようなＩＣソケットにおいては、ＩＣチップのリードを保持する可動電極と、プリント回路基板にはんだ付けされた固定電極との接触状態を良好に維持することが困難であり、両者の接触不良によりプリント回路基板が正常に動作しない虞がある。なお、特許文献２には、複数のソケット基台をプリント回路基板に所定間隔を隔てて実装したプリント回路基板が示されている。また、特許文献３には、ＩＣチップの位置決め不良に起因するリードの変形を防止するためのＩＣソケットが示されている。また、特許文献４には、ＩＣソケットの抜き差しによって生ずる接触抵抗の増大を防止するＩＣソケットが示されているる。
【特許文献１】特開平６−１５１６５４号公報
【特許文献２】特開平７−２０２０８０号公報
【特許文献３】特開平６−２２４３３２号公報
【特許文献４】特開平５−２９４９６号公報
【発明の開示】
【発明が解決しようとする課題】
【０００５】
本発明は、上記課題を解決するためになされたものであり、異なる幅寸法のＩＣソケットを搭載可能であり、かつ、ＩＣチップの各リードとプリント回路基板とを確実に導通させることができるＩＣソケットを提供することを目的とする。
【課題を解決するための手段】
【０００６】
上記目的を達成するために請求項１の発明は、試作プリント回路基板用のＩＣソケットであって、ＩＣチップのリードを挿入するための開口を有し、ＩＣチップを搭載し得る状態で、プリント回路基板上に実装される中空構造のソケット本体部と、開口からソケット本体部の内部に挿入されたＩＣチップのリードに対応するように配列され、該リードを保持する、複数対の第１の内部導体と、この第１の内部導体を嵌挿するためのスリットを有し、該第１の内部導体が配列された方向に対して直交する方向に往復移動可能な１対の往復部材と、この往復部材を、それぞれＩＣチップの幅方向の外側から内側に向けて互いに接近するように付勢するコイルばねと、ソケット本体部の低部に設けられ、第１の内部導体と接触導通される複数対の第２の内部導体とを備え、第１の内部導体は、ＩＣチップのリードを往復部材の移動方向において両側から挟み込んで保持し得るように、折り返された板金部材によって構成され、その折り返し部は、往復部材のスリットからプリント回路基板の側に突出されると共に、該スリットの端縁と係合し得るように該端縁から該往復部材の往復方向に突出され、かつ、第２の内部導体と確実に接触し得るように、側面視で円弧状に成形され、第２の内部導体は、板金部材によって略Ｌ字と略Ｕ字を組み合わせた形状に形成され、略Ｌ字型に形成された一端部がプリント回路基板のランド部にはんだ付けされ、略Ｕ字型に形成された他端部が第１の内部導体と接触され、該他端部は、該第２の内部導体の弾性によって、該第１の内部導体をプリント回路基板から離反する方向と付勢部材の付勢方向とは逆の方向に付勢し得るように、斜面状に成形されており、搭載されるＩＣチップのリードの幅寸法に対応させて、対となる第１の内部導体の間隔を変更可能とすることにより、一つのＩＣソケットで幅寸法の異なる複数種類のＩＣチップを搭載可能としたものである。
【０００７】
請求項２の発明は、試作プリント回路基板用のＩＣソケットであって、ＩＣチップのリードを挿入するための開口を有し、ＩＣチップを搭載し得る状態で、プリント回路基板上に実装される中空構造のソケット本体部と、開口からソケット本体部の内部に挿入されたＩＣチップのリードに対応するように配列され、該リードを保持する、複数対の第１の内部導体と、この第１の内部導体を嵌挿するためのスリットを有し、該第１の内部導体が配列された方向に対して直交する方向に往復移動可能な往復部材と、この往復部材を、ＩＣチップの外側から内側に向けて付勢する付勢部材と、第１の内部導体と接触導通される複数対の第２の内部導体とを備え、第１の内部導体は、ＩＣチップのリードを往復部材の移動方向において両側から挟み込んで保持し得るように、折り返された板金部材によって構成され、第２の内部導体は、板金部材によって構成され、その一端部がプリント回路基板のランド部にはんだ付けされ、他端部が第１の内部導体と接触され、該他端部は、該第２の内部導体の弾性によって、第１の内部導体をプリント回路基板から離反する方向と付勢部材の付勢方向とは逆の方向に付勢し得るように、斜面状に成形されており、搭載されるＩＣチップのリードの幅寸法に対応させて、対となる第１の内部導体の間隔を変更可能とすることにより、一つのＩＣソケットで幅寸法の異なる複数種類のＩＣチップを搭載可能としたものである。
【発明の効果】
【０００８】
請求項１の発明によれば、搭載されるＩＣチップのリードの幅寸法に対応させて、対となる第１の内部導体の間隔が変更可能であるので、プリント回路基板を再設計・製作することなく、幅寸法の異なる複数種類のＩＣチップを搭載可能となり、電子機器の開発期間を大幅に短縮できるようになる。また、折り返された第１の内部導体によってＩＣチップのリードを挟み込んで保持し、かつ、コイルばねと第２の内部導体の弾性力によって、両側から第１の内部導体を押圧するので、両者間の導通を良好に維持することができる。また、第２の内部導体の弾性力によって、該第２の内部導体の他端部が第１の内部導体の折り返し部に押圧されるので両者間の導通を良好に維持することができる。さらに、折り返し部は、側面視で円弧状に成形されているので、第１の内部導体と第２の内部導体との接触面積が大きくなり、両者間の導通がより確実なものとなる。
【０００９】
請求項２の発明によれば、搭載されるＩＣチップのリードの幅寸法に対応させて、対となる第１の内部導体の間隔が変更可能であるので、プリント回路基板を再設計・製作することなく、幅寸法の異なる複数種類のＩＣチップを搭載可能となり、電子機器の開発期間を大幅に短縮できるようになる。
【発明を実施するための最良の形態】
【００１０】
本発明を実施するための最良の実施形態によるＩＣソケットについて図面を参照して説明する。図１はＩＣソケットの平面図、図２、３は同断面図を示している。図１及び図２は、幅寸法の狭いＩＣチップを装着している状態を示している。また、図３は、幅寸法の広いＩＣチップを装着している状態を示している。
【００１１】
ＩＣソケット１は、主として試作用のプリント回路基板２に用いられるＩＣソケットであって、幅寸法の異なる複数種類のＩＣチップ３を搭載可能なように構成されている。すなわち、ＩＣソケット１は、プリント回路基板２の上に実装される中空構造のソケット本体部４と、ＩＣチップ３のリード５を保持するためにソケット本体部４の内部に配列された複数対の第１の内部導体６と、第１の内部導体６が配列された方向（以下、ＩＣチップ３の長さ方向とする）に対して直交する方向（以下、ＩＣチップ３の幅方向とする）に往復移動可能な１対の往復部材７と、往復部材７を幅方向に互いに接近するように付勢するコイルばね８と、第１の内部導体６のそれぞれと接触導通される複数対の第２の内部導体９等を備えている。長さ方向に配列された各列の第１の内部導体６は、それぞれ往復部材７に保持されている。
【００１２】
ソケット本体部４は、ＩＣチップ３から突出された２列のリード５を挿入するために１対の開口１０を有している。開口１０の長さ方向の寸法は、各列のリード５を全て挿入し得るように、ＩＣチップ３の長さ方向の寸法と略同等に設定されている。また、２つの開口１０の幅方向の寸法及び両者の間隔は、プリント回路基板２に使用される可能性のあるＩＣチップ３の全てに対応するように設定されている。第１の内部導体６は、開口１０からソケット本体部４の内部に挿入されたＩＣチップ３のリード５に対応するように複数対配列されており、ＩＣチップ３のリード５を往復部材７の移動方向において両側から挟み込んで保持し得るように、折り返された板金部材によって構成されている。
【００１３】
往復部材７は、絶縁性を有する材料、例えば合成樹脂等によって形成され、第１の内部導体６を嵌挿するためのスリット１１を有している。往復部材７の長さ寸法は、ＩＣチップ３よりも若干長く設定されており、その両端部にはそれぞれコイルばね８が当接されている。コイルばね８は、ソケット本体部４の外枠と往復部材７との間に圧縮状態で挿入されており、往復部材７をそれぞれＩＣチップ３の幅方向の外側から内側に向けて互いに接近するように付勢する。
【００１４】
第２の内部導体９は、板金部材によって略Ｌ字型と略Ｕ字型を組み合わせた形状に形成され、ソケット本体部４の底部に設けられている。第２の内部導体９は、略Ｌ字型に形成された一端部１２においてプリント回路基板２のランド部１３にはんだ付けされ、略Ｕ字型に形成された折り返し部１６の他端部１４において第１の内部導体６と接触されている。
【００１５】
図４は、第１の内部導体６及び第２の内部導体９を示す斜視図である。第１の内部導体６は、往復部材７のスリット１１（図２参照）からプリント回路基板２の側に突出される折り返し部１５を有している。折り返し部１５は、スリット１１の端縁と係合し得るように端縁から往復部材７の往復方向に突出されている。第２の内部導体９の弾性によって付勢された第１の内部導体６は、折り返し部１５とスリット１１の端縁との係合により、図２において上下方向に位置決めされている。また、折り返し部１５は、第２の内部導体９との相対的な位置関係に関わらず一定の接触面積を確保するために、側面視で円弧状に成形されている。
【００１６】
第２の内部導体９の折り返し部１６から他端部１４にかけては、ＩＣチップ３の内側から外側に向って下り勾配の斜面１７が形成されている。第２の内部導体９は、上述のごとく位置決めされた第１の内部導体６とソケット本体部４の底面との隙間に、折り返し部１６から他端部１４にかけて図４において時計回りに弾性変形された状態で組み込まれている。従って、第２の内部導体９の弾性変形により、他端部１４には矢印Ｂ方向のモーメントが発生している。
【００１７】
図３に示したように、幅寸法の広いＩＣチップ３をＩＣソケット１に搭載する際には、往復部材７をコイルばね８の付勢力に抗して矢印Ｃ方向に移動させる。これに伴い、第１の内部導体６と第２の内部導体９の接触部分がＩＣチップ３の外側に移動するが、上述したように、第２の内部導体９の他端部１４にかかる矢印Ｂ方向のモーメントにより、他端部１４が回動して第１の内部導体６の移動に追従する。これにより、第１の内部導体６と第２の内部導体９の接触状態が適正に維持されることになる。
【００１８】
第２の内部導体９の他端部１４には斜面１７が形成されているので、他端部１４に矢印Ｂ方向のモーメントがかかったとき、他端部１４は第１の内部導体６の折り返し部１５を矢印Ｃ方向、すなわちコイルばね８による付勢方向とは逆の方向に付勢する。これに伴って、ＩＣチップ３のリード５は第１の内部導体６の両側面によって挟み込まれるように押圧されることになり、リード５と第１の内部導体６の接触状態が適正に維持されることになる。また、第１の内部導体６の折り返し部が１５、スリット１１の端縁から往復部材７の往復方向に突出されているので、第１の内部導体６が第２の内部導体９によって付勢されたとき、第１の内部導体６が往復部材７のスリット１１の内部に埋没する虞もない。
【００１９】
以上のように、本実施形態のＩＣソケット１によれば、搭載されるＩＣチップ３の幅寸法に対応させて、対となる第１の内部導体６の間隔が変更可能であるので、プリント回路基板２を再設計・製作することなく、幅寸法の異なる複数種類のＩＣチップ３を搭載可能となり、電子機器の開発期間の短縮を図ることができるようになる。また、折り返された第１の内部導体６によってＩＣチップ３のリード５を挟み込んで保持し、かつ、コイルばね８と第２の内部導体９の弾性力によって、両側から第１の内部導体６を押圧するので、リード５と第１の内部導体６との間の導通を良好に維持することができる。また、第２の内部導体９の弾性力によって、該第２の内部導体９の他端部１４が第１の内部導体６の折り返し部１５に押圧されるので第１の内部導体６と第２の内部導体９との間の導通を良好に維持することができる。さらに、折り返し部１５は、側面視で円弧状に成形されているので、第１の内部導体６と第２の内部導体９との接触面積が大きくなり、両者間の導通がより確実なものとなる。
【００２０】
なお、本発明は上記実施形態の構成に限られることなく種々の変形が可能であり、例えば、第１の内部導体６及び第２の内部導体９の形状や配置は、図示したものに限られない。
【図面の簡単な説明】
【００２１】
【図１】本発明の一実施形態によるＩＣソケットの平面図。
【図２】図１におけるＡ−Ａ線断面図。
【図３】幅寸法の大きいＩＣチップを搭載したときのＡ−Ａ線断面図。
【図４】第１の内部導体及び第２の内部導体を示す斜視図。
【符号の説明】
【００２２】
１    ＩＣソケット
２    プリント回路基板
３    ＩＣチップ
４    ソケット本体部
５    リード
６    第１の内部導体
７    往復部材
８    コイルばね
９    第２の内部導体
１０    開口
１１    スリット
１５    折り返し部
１７    斜面
【図１】
2006156095.tif 000003
【図２】
2006156095.tif 000004
【図３】
2006156095.tif 000005
【図４】
2006156095.tif 000006